(57)【特許請求の範囲】
【請求項１】
放射線装置と、コンピュータと、これらを中継する基板とを有する放射線システムであって、
前記基板は、前記コンピュータからの電気信号を映像データに変換する変換手段と、当該映像データを通信により前記放射線装置に送信する送信手段を有し、
前記基板と前記放射線装置とは、電気的に絶縁されていることを特徴とする放射線システム。
【請求項２】
請求項１に記載の放射線システムにおいて、
前記基板は、前記コンピュータからの前記電気信号に画像処理を行う、または前記コンピュータからの前記電気信号を圧縮する信号処理手段を備えることを特徴とする放射線システム。
【請求項３】
請求項１または請求項２に記載の放射線システムにおいて、
前記基板は、前記コンピュータおよび放射線装置との間でデータを送受信するための通信手段をさらに有することを特徴とする放射線システム。
【請求項４】
請求項３に記載の放射線システムにおいて、
前記基板は、前記コンピュータからの前記電気信号から前記変換手段で変換された前記映像データと、前記放射線装置から前記通信手段を介した前記データと、前記コンピュータから前記通信手段を介した前記データとを調停する信号調停手段を備えることを特徴とする放射線システム。
【発明の詳細な説明】
【技術分野】
【０００１】
この発明は、放射線装置と、コンピュータと、これらを中継する基板とを有する放射線システムに関する。
【背景技術】
【０００２】
従来、この種の放射線装置として、例えば、図６に示すような構造がある。図６に示すように、放射線装置１０１と、放射線装置１０１の周囲で外部にあるコンピュータ２０１とを、ケーブル３０１を介して電気的に接続している。図６に示すように、放射線装置１０１は、ローカル・エリア・ネットワーク(LAN: Local Area Network) ポート（以下、「ＬＡＮポート」と略記する）１０２と医用画像送信部１０３と映像信号受信部１０４とを備えている。また、コンピュータ２０１は、ＬＡＮポート２０２とグラバーボード２０３とグラフィックカード２０４とを備えている。以下、通信プロトコルとして、イーサネット（登録商標）（英語表記ではEthernet（登録商標））プロトコルを例に採って説明する。
【０００３】
放射線装置１０１のＬＡＮポート１０２とコンピュータ２０１のＬＡＮポート２０２とを、Ethernet（登録商標）ケーブル３０２を介して電気的に接続することで、放射線装置１０１とコンピュータ２０１との間をEthernet（登録商標）通信する。放射線装置１０１の医用画像送信部１０３とコンピュータ２０１のグラバーボード２０３とを、例えば低電圧差動信号(LVDS: Low Voltage Differential Signaling) 規格のケーブル３０３を介して電気的に接続することで、医用画像の信号をグラバーボード２０３に送信する。
【０００４】
放射線装置１０１の映像信号受信部１０４とコンピュータ２０１のグラフィックカード２０４とを、例えばデジタル・ビジュアル・インターフェース(DVI: Digital Visual Interface) 規格またはビデオ・グラフィックス・アレイ(VGA: Video Graphics Array) 規格のケーブル３０４を介して電気的に接続することで、コンピュータ２０１（のグラフィックカード２０４）の映像信号を映像信号受信部１０４が受信する。このように、放射線装置とコンピュータとの間では、コンピュータの映像信号やEthernet（登録商標）プロトコルに変換した信号（Ethernet（登録商標）信号）や医用画像の信号や同期信号を転送する。
【０００５】
ＤＶＩ規格のように電気的に絶縁されていない接続が存在する。このように、放射線装置とコンピュータとの間は電気的に接続されているので、コンピュータの機種変更のためには放射線装置全体で安全性を確認する必要がある。特に、医用画像の場合には定格が厳しいので、安全性の動作テストを行う必要があり、より一層安全性を確認する必要がある。
【発明の概要】
【発明が解決しようとする課題】
【０００６】
しかしながら、上述したように放射線装置全体で安全性を確認する必要があるので、かかる（安全性の動作テストを行う）工数・費用が大きいという問題がある。そのために、コンピュータの機種変更が容易でない。
【０００７】
この発明は、このような事情に鑑みてなされたものであって、安全性を確認する工数・費用が小さくなる放射線装置の接続に用いられる放射線システムを提供することを目的とする。
【課題を解決するための手段】
【０００８】
この発明は、このような目的を達成するために、次のような構成をとる。
すなわち、この発明に係る放射線システムは、放射線装置と、コンピュータと、これらを中継する基板とを有する放射線システムであって、  前記基板は、前記コンピュータからの電気信号を映像データに変換する変換手段と、当該映像データを通信により前記放射線装置に送信する送信手段を有し、  前記基板と前記放射線装置とは、電気的に絶縁されていることを特徴とするものである。
【０００９】
［作用・効果］この発明に係る放射線システムによれば、放射線システムは、放射線装置と、コンピュータと、これらを中継する基板とを有し、基板は、コンピュータからの電気信号を映像データに変換する変換手段と、当該映像データを通信により放射線装置に送信する送信手段を有し、基板と放射線装置とは、電気的に絶縁されている。基板を介して放射線装置・コンピュータ間で通信し、コンピュータからの電気信号を変換手段が映像データに変換し、当該映像データを通信により送信手段が放射線装置に送信することで、コンピュータから変換された映像データについても放射線装置が受信することができる。また、放射線装置・基板間では電気的に絶縁されているので、コンピュータの機種変更時に基板・コンピュータ間の安全性を確認することで、放射線装置全体で安全性を確認する場合と比較して、安全性を確認する工数・費用が小さくなる。その結果、コンピュータの機種変更を容易にすることができる。
【００１０】
上述したこの発明に係る放射線システムにおいて、基板は、コンピュータからの電気信号に画像処理を行う、またはコンピュータからの電気信号を圧縮する信号処理手段を備えてもよい。上述したこの発明に係る放射線システムにおいて、基板は、コンピュータからの電気信号に画像処理を行う、またはコンピュータからの電気信号を圧縮する信号処理手段を備えてもよい。ここでの「信号処理」とは、コンピュータからの電気信号を圧縮する処理も含め、映像に関する一般的な画像処理（例えば拡大・縮小や切り出し）を意味し、放射線装置特有の画像処理（つまり放射線装置で得られた放射線画像の画像処理）と相違することに留意されたい。また、ＤＶＩ規格では無圧縮の電気信号を送信するように設計されているので、信号処理手段にて当該電気信号を圧縮することができる。
【００１１】
また、上述したこれらの発明に係る放射線システムにおいて、基板は、コンピュータおよび放射線装置との間でデータを送受信するための通信手段をさらに有するのが好ましい。ここでの「通信」は、基板・コンピュータ間の送受信、基板・放射線装置間の送受信も含まれる。
【００１２】
また、上述した通信手段をさらに有した放射線システムにおいて、基板は、コンピュータからの電気信号から変換手段で変換された映像データと、放射線装置から通信手段を介したデータと、コンピュータから通信手段を介したデータとを調停する信号調停手段を備えるのが好ましい。
【００１３】
本明細書では「信号調停」とは信号の転送方向を制御することを意味する。この場合、信号調停によって、変換手段で変換された映像データも含め、通信手段を介したコンピュータからのデータを、１つのケーブルを介して放射線装置が受信することができるとともに、同一のtケーブルを介して放射線装置からデータを基板、さらにはコンピュータに送信することができる。その結果、放射線装置・基板間の接続が１つのケーブルのみとなり、ケーブル数の削減となる。
【発明の効果】
【００１４】
この発明に係る放射線システムによれば、放射線システムは、放射線装置と、コンピュータと、これらを中継する基板とを有し、基板は、コンピュータからの電気信号を映像データに変換する変換手段と、当該映像データを通信により放射線装置に送信する送信手段を有し、基板と放射線装置とは、電気的に絶縁されている。コンピュータの機種変更時に基板・コンピュータ間の安全性を確認することで、放射線装置全体で安全性を確認する場合と比較して、安全性を確認する工数・費用が小さくなる。その結果、コンピュータの機種変更を容易にすることができる。
【図面の簡単な説明】
【００１５】
【図１】実施例１に係るＸ線撮影装置のブロック図である。
【図２】外部にあるコンピュータを含んだ実施例１に係るＸ線撮影システムのブロック図である。
【図３】パルストランス付きRJ45の回路図である。
【図４】実施例２に係るＸ線撮影装置のブロック図である。
【図５】外部にあるコンピュータを含んだ実施例２に係るＸ線撮影システムのブロック図である。
【図６】従来の放射線装置のブロック図である。
【実施例１】
【００１６】
以下、図面を参照してこの発明の実施例１を説明する。
図１は、実施例１に係るＸ線撮影装置のブロック図であり、図２は、外部にあるコンピュータを含んだ実施例１に係るＸ線撮影システムのブロック図であり、図３は、パルストランス付きRJ45の回路図である。後述する実施例２も含めて、本実施例１では、放射線装置としてＸ線撮影装置を例に採って説明するとともに、放射線システムとしてＸ線撮影システムを例に採って説明する。
【００１７】
図２に示すように、Ｘ線撮影システム１は、Ｘ線撮影装置１０（図１も参照）と基板３０とを備えている。Ｘ線撮影装置１０と基板３０とは、Ethernet（登録商標）ケーブル５１，５２を介して電気的に接続されている。また、基板３０と外部にあるコンピュータ４０とは、Ethernet（登録商標）ケーブル５３およびＤＶＩ規格またはＶＧＡ規格のケーブル５４を介して電気的に接続されている。Ｘ線撮影システム１は、この発明における放射線システムに相当し、Ｘ線撮影装置１０は、この発明における放射線装置に相当し、基板３０は、この発明における基板に相当する。
【００１８】
Ｘ線撮影装置１０は、図１に示すように、被検体Ｍを載置した天板１１と、被検体Ｍに向けてＸ線を照射するＸ線管１２と、Ｘ線管２から照射されて被検体Ｍを透過したＸ線を検出するフラットパネル型Ｘ線検出器（以下、「ＦＰＤ」と略記する）１３とを備えている。
【００１９】
この他に、図１および図２に示すように、Ｘ線撮影装置１０は、ＦＰＤ１３によって検出されたＸ線に基づいて画像処理を行う画像処理部１４と、技師などの操作者がデータや命令（コマンド）を入力する入力部１５と、各構成部を統括制御する中央演算処理装置（以下、「ＣＰＵ」と略記する）１６と、画像処理部１４によって各種の画像処理で得られたＸ線画像に関する信号を含んだEthernet（登録商標）信号について、Ethernet（登録商標）ケーブル５１を介して後述する基板３０のＸ線撮影装置通信部３１と通信（Ｘ線撮影装置通信部３１への送信，Ｘ線撮影装置通信部３１からの受信を含む）するＬＡＮポート１７と、Ethernet（登録商標）ケーブル５２を介して後述する基板３０のＸ線撮影装置通信部３６からＸ線画像に関する信号を受信するＬＡＮポート１８と、ＬＡＮポート１８からＸ線画像に関する信号をＸ線画像として出力する画像出力部１９と、画像処理部１４によって各種の画像処理で得られたＸ線画像を記憶するとともに、画像出力部１９によって出力されたＸ線画像を記憶するメモリ部２０と、画像出力部１９によって出力されたＸ線画像を表示する表示部２１とを備えている。
【００２０】
天板１１やＸ線管１２やＦＰＤ１３や入力部１５や表示部２１を除いて、Ｘ線撮影装置１０の各構成部は、図２に示すようにキャビネットＣ１に収納されている。また、基板３０およびコンピュータ４０、それらを接続するEthernet（登録商標）ケーブル５３およびケーブル５４は、図２に示すようにキャビネットＣ２に収納されている。
【００２１】
基板３０は、Ethernet（登録商標）ケーブル５１を介してＸ線撮影装置１０のＬＡＮポート１７とEthernet（登録商標）信号について通信（Ethernet（登録商標）通信）するＸ線撮影装置通信部３１と、Ｘ線撮影装置通信部３１と通信して、かつEthernet（登録商標）ケーブル５３を介して後述するコンピュータ４０のＬＡＮポート４１とEthernet（登録商標）通信するコンピュータ通信部３２と、ケーブル５４を介して後述するコンピュータ４０のグラフィックカード４３から映像信号を受信する映像信号受信部３３と、コンピュータ４０の映像信号に画像処理を行う、またはコンピュータ４０の映像信号を圧縮する画像処理部３４と、画像処理部３４で処理されたコンピュータ４０の映像信号をEthernet（登録商標）プロトコルに変換する映像信号−Ethernet（登録商標）変換部３５と、映像信号−Ethernet（登録商標）変換部３５を介してコンピュータ４０の映像信号（Ｘ線画像に関する信号）をEthernet（登録商標）プロトコルに変換した信号を、Ethernet（登録商標）ケーブル５２を介してＸ線撮影装置１０のＬＡＮポート１８に送信するＸ線撮影装置通信部３６と、各構成部を統括制御するＣＰＵ３７とを備えている。Ｘ線撮影装置通信部３６は、この発明における送信手段に相当し、Ｘ線撮影装置通信部３１，３６，コンピュータ通信部３２，映像信号受信部３３は、この発明における通信手段に相当し、画像処理部３４は、この発明における信号処理手段に相当し、映像信号−Ethernet（登録商標）変換部３５は、この発明における変換手段に相当する。
【００２２】
外部にあるコンピュータ４０は、Ethernet（登録商標）ケーブル５３を介して基板３０のコンピュータ通信部３２とEthernet（登録商標）通信するＬＡＮポート４１と、ＬＡＮポート４１を制御するＣＰＵ４２と、映像信号を出力して、ケーブル５４を介して映像信号を基板３０の映像信号受信部３３に送信するグラフィックカード４３とを備えている。
【００２３】
Ｘ線撮影装置１０のＬＡＮポート１７と基板３０のＸ線撮影装置通信部３１とは、Ethernet（登録商標）ケーブル５１を介して電気的に接続されている。Ｘ線撮影装置１０のＬＡＮポート１８と基板３０のＸ線撮影装置通信部３６とは、Ethernet（登録商標）ケーブル５２を介して電気的に接続されている。基板３０のコンピュータ通信部３２とコンピュータ４０のＬＡＮポート４１とは、Ethernet（登録商標）ケーブル５３を介して電気的に接続されている。基板３０の映像信号受信部３３とコンピュータ４０のグラフィックカード４３とは、（ＤＶＩ規格またはＶＧＡ規格の）ケーブル５４を介して電気的に接続されている。
【００２４】
Ｘ線撮影装置１０の画像処理部１４は、上述したＣＰＵで構成されている。画像処理部１４は、プログラムデータに応じて内部の使用するハードウェア回路（例えば論理回路）が変更可能なプログラマブルデバイス（例えばＦＰＧＡ(Field Programmable Gate Array)）あるいはＧＰＵ(Graphics Processing Unit) などで構成されてもよい。Ｘ線撮影装置１０の入力部１５は、マウスやキーボードやジョイスティックやトラックボールやタッチパネルなどに代表されるポインティングデバイスで構成されている。Ｘ線撮影装置１０のメモリ部２０は、ＲＯＭ（Read-only Memory）やＲＡＭ（Random-Access Memory）などに代表される記憶媒体で構成されている。
【００２５】
基板３０の各構成部は、基板３０に搭載するＣＰＵや、上述したプログラマブルデバイスや、後述する変成器やイーサネット（登録商標）ICなどで構成されている。
【００２６】
Ethernet（登録商標）の具体的な通信プロトコルについては、トランスミッション・コントロール・プロトコル(TCP: Transmission Control Protocol) とインターネット・プロトコル(IP: Internet Protocol) とを組み合わせたＴＣＰ／ＩＰやユーザ・データグラム・プロトコル(UDP: User Datagram Protocol)などに例示されるように、特に限定されない。
【００２７】
Ｘ線撮影装置１０から配線したEthernet（登録商標）ケーブル５１，５２を接続するコネクタで絶縁を基板３０に対して行う。Ｘ線撮影装置１０から配線したEthernet（登録商標）ケーブル５１，５２を接続するコネクタで絶縁を基板３０に対して行うには、当該コネクタとしてパルストランス付きRJ45を採用する。パルストランス付きRJ45は、図３に示すように２個のコイルが磁気的に結合された変成器からなり、当該変成器を基板３０（図２も参照）に搭載する。一方のコイルは、Ethernet（登録商標）ケーブル５１，５２（図２を参照）を接続するRJ45コネクタに接続され、他方のコイルはイーサネット（登録商標）IC（図２ではＸ線撮影装置通信部３１，３６）に接続されている。
【００２８】
一次コイル（入力側のコイル）に交流電流を流し、変動磁場を発生させる。それを相互インダクタンスで結合された二次コイル（出力側のコイル）に伝え、再び電流に変換して出力する。このように、一次コイルおよび二次コイルにより絶縁を行いつつ、交流電流からなるパルス信号を伝送することができる。Ｘ線撮影装置１０（図２も参照）から基板３０にEthernet（登録商標）信号を送信する場合には、RJ45コネクタに接続されたコイルが一次コイルになり、イーサネット（登録商標）ICに接続されたコイルが二次コイルになる。逆に、基板３０からＸ線撮影装置１０にEthernet（登録商標）信号を送信する場合には、イーサネット（登録商標）ICに接続されたコイルが一次コイルになり、RJ45コネクタに接続されたコイルが二次コイルになる。
【００２９】
なお、Ｘ線撮影装置１０として放射線装置から配線したケーブル（図２ではEthernet（登録商標）ケーブル５１，５２）を接続するコネクタで絶縁を基板３０に対して行ったが、少なくとも放射線装置から配線したケーブルを接続するコネクタで絶縁を基板に対して行うのであれば、コンピュータから配線したケーブルを接続するコネクタでも絶縁を基板に対して行ってもよい。例えば、図２のコンピュータ４０から配線したEthernet（登録商標）ケーブル５３を接続するコネクタでも絶縁を基板３０に対して行う。また、コネクタで絶縁を行うことで、Ｘ線撮影装置１０・基板３０間で絶縁したが、２個のコイルが磁気的に結合された変成器をケーブル間に介在させることで、Ｘ線撮影装置１０・基板３０間で絶縁してもよい。
【００３０】
図２の説明に戻り、このように、Ｘ線撮影装置１０から配線したEthernet（登録商標）ケーブル５１，５２を接続するコネクタで絶縁を基板３０に対して行うために、Ｘ線撮影装置１０と接続するためのＸ線撮影装置通信部３１，３６には、Ethernet（登録商標）のRJ45コネクタは絶縁が可能なパルストランス付きを採用する。絶縁が可能なパルストランス付きを採用することで、Ｘ線撮影装置１０と基板３０との間を絶縁する。コンピュータ４０の映像信号以外の信号については、基板３０上のＸ線撮影装置通信部３１およびコンピュータ通信部３２を介してEthernet（登録商標）プロトコルで通信（Ethernet（登録商標）通信）する。
【００３１】
コンピュータ４０の映像信号については、次の手順でEthernet（登録商標）に変換して、Ｘ線撮影装置１０に転送する。
１．基板３０上の映像信号受信部３３は、コンピュータ４０のグラフィックカード４３から映像信号を受信する。
２．基板３０上の画像処理部３４で、受信した映像信号に画像処理または画像圧縮、あるいはその両方を必要に応じて行う。
３．基板３０上の映像信号−Ethernet（登録商標）変換部３５で映像信号をEthernet（登録商標）プロトコルに変換する。
４．映像信号についてEthernet（登録商標）プロトコルに変換した信号（Ethernet（登録商標）信号）について、基板３０上のＸ線撮影装置通信部３６でＸ線撮影装置１０（のＬＡＮポート１８）とEthernet（登録商標）通信する。
【００３２】
以上のように、Ethernet（登録商標）通信で受信したコンピュータ４０の映像信号をＸ線画像に関する信号として画像出力部１９に送り込む。そして、当該Ｘ線画像に関する信号をＸ線画像として画像出力部１９は出力して、当該Ｘ線画像をメモリ部２０に書き込んで記憶し、Ｘ線画像を表示部２１の画面に表示する際に、メモリ部２０から読み出して、表示部２１の画面に送り込む。
【００３３】
後述する実施例２も含めて、本実施例１に係る放射線システム（各実施例ではＸ線撮影システム１）によれば、放射線装置（各実施例ではＸ線撮影装置１０）と、コンピュータ４０と、これらを中継する基板３０とを有し、基板３０は、コンピュータ４０からの電気信号（各実施例では映像信号）をEthernet（登録商標）プロトコルの映像データに変換する変換手段（各実施例では映像信号−Ethernet（登録商標）変換部３５）と、当該映像データを通信により放射線装置（Ｘ線撮影装置１０）に送信する送信手段（本実施例１ではＸ線撮影装置通信部３６）を有し、基板３０と放射線装置（Ｘ線撮影装置１０）とは、電気的に絶縁されている。基板３０を介して放射線装置（Ｘ線撮影装置１０）・コンピュータ４０間でEthernet（登録商標）通信し、コンピュータ４０からの電気信号（映像信号）を変換手段（映像信号−Ethernet（登録商標）変換部３５）がEthernet（登録商標）プロトコルの映像データに変換し、当該映像データを通信により送信手段（Ｘ線撮影装置通信部３６）が放射線装置（Ｘ線撮影装置１０）に送信することで、コンピュータ４０から変換されたEthernet（登録商標）プロトコルの映像データについても放射線装置（Ｘ線撮影装置１０）が受信することができる。また、放射線装置（Ｘ線撮影装置１０）・基板３０間では電気的に絶縁されているので、コンピュータ４０の機種変更時に基板３０・コンピュータ４０間の安全性を確認することで、放射線装置（Ｘ線撮影装置１０）全体で安全性を確認する場合と比較して、安全性を確認する工数・費用が小さくなる。その結果、コンピュータ４０の機種変更を容易にすることができる。
【００３４】
後述する実施例２も含めて、本実施例１では、放射線システム（Ｘ線撮影システム１）において、基板３０は、コンピュータ４０からの電気信号（映像信号）に画像処理を行う、またはコンピュータ４０からの電気信号（映像信号）を圧縮する信号処理手段（各実施例では画像処理部３４）を備えている。「課題を解決するための手段」の欄でも述べたように、ここでの「信号処理」とは、コンピュータからの電気信号（映像信号）を圧縮する処理も含め、映像に関する一般的な画像処理（例えば拡大・縮小や切り出し）を意味し、放射線装置（Ｘ線撮影システム１）特有の画像処理（つまり放射線装置で得られた放射線画像の画像処理、各実施例のようにＸ線画像の場合にはオフセット補正や階調変換やグリッド除去などの画像処理）と相違することに留意されたい。また、ＤＶＩ規格では無圧縮の電気信号（映像信号）を送信するように設計されているので、信号処理手段（画像処理部３４）にて当該電気信号（映像信号）を圧縮することができる。
【実施例２】
【００３５】
次に、図面を参照してこの発明の実施例２を説明する。
図４は、実施例２に係るＸ線撮影装置のブロック図であり、図５は、外部にあるコンピュータを含んだ実施例２に係るＸ線撮影システムのブロック図である。上述した実施例１と共通する構成については、同じ符号を付して、その説明を省略するとともに、図示を省略する。
【００３６】
上述した実施例１では、図１および図２に示すようにＸ線撮影装置１０は２つのＬＡＮポート１７，１８を備えているのに対して、本実施例２では、図４および図５に示すようにＸ線撮影装置１０は１つのＬＡＮポート１７のみを備えている。また、上述した実施例１では、図２に示すように基板３０は２つのＸ線撮影装置通信部３１，３６を備えているのに対して、本実施例２では、図５に示すように基板３０は１つのＸ線撮影装置通信部３１のみを備えている。
【００３７】
また、上述した実施例１では、図２に示すように、Ｘ線撮影装置１０のＬＡＮポート１７と基板３０のＸ線撮影装置通信部３１とは、Ethernet（登録商標）ケーブル５１を介して電気的に接続され、Ｘ線撮影装置１０のＬＡＮポート１８と基板３０のＸ線撮影装置通信部３６とは、Ethernet（登録商標）ケーブル５２を介して電気的に接続されており、２つのEthernet（登録商標）ケーブル５１，５２を介してＸ線撮影装置１０と基板３０とは電気的に接続されている。これに対して、本実施例２では、図５に示すように、Ｘ線撮影装置１０のＬＡＮポート１７と基板３０のＸ線撮影装置通信部３１とは、Ethernet（登録商標）ケーブル５１を介して電気的に接続されており、１つのEthernet（登録商標）ケーブル５１のみをＸ線撮影装置１０と基板３０とは電気的に接続されている。
【００３８】
本実施例２では、図４および図５に示すように、Ｘ線撮影装置１０のＬＡＮポート１７は、画像処理部１４，ＣＰＵ１６および画像出力部１９に接続されている。また、図５に示すように、基板３０は、信号を調停する信号調停部３８を備えている。信号調停部３８は、この発明における信号調停手段に相当する。
【００３９】
信号調停部３８は、スイッチングハブで構成されている。信号調停部３８は、Ｘ線撮影装置通信部３１，コンピュータ通信部３２および映像信号−Ethernet（登録商標）変換部３５に接続されている。ＣＰＵ３７については、図示を省略する。
【００４０】
本実施例２でのコンピュータ４０の映像信号以外の信号については、基板３０上のＸ線撮影装置通信部３１，信号調停部３８およびコンピュータ通信部３２を介してEthernet（登録商標）プロトコルで通信（Ethernet（登録商標）通信）する。
【００４１】
本実施例２でのコンピュータ４０の映像信号については、次の手順でEthernet（登録商標）に変換して、Ｘ線撮影装置１０に転送する。
１．基板３０上の映像信号受信部３３は、コンピュータ４０のグラフィックカード４３から映像信号を受信する。
２．基板３０上の画像処理部３４で、受信した映像信号に画像処理または画像圧縮、あるいはその両方を必要に応じて行う。
３．基板３０上の映像信号−Ethernet（登録商標）変換部３５で映像信号をEthernet（登録商標）プロトコルに変換する。
４．映像信号についてEthernet（登録商標）プロトコルに変換した信号（Ethernet（登録商標）信号）について、信号調停部３８を介して基板３０上のＸ線撮影装置通信部３１でＸ線撮影装置１０（のＬＡＮポート１７）とEthernet（登録商標）通信する。
【００４２】
このように、信号調停部３８で、コンピュータ４０の映像信号をEthernet（登録商標）プロトコルに変換した信号（Ethernet（登録商標）信号）と、Ｘ線撮影装置１０からのEthernet（登録商標）信号と、コンピュータ４０からのEthernet（登録商標）信号とを調停する。
【００４３】
本実施例２での主たる作用・効果および信号処理手段（各実施例では画像処理部３４）を備えた作用・効果については、上述した実施例１と同じであるので、その説明を省略する。
【００４４】
本実施例２のように、放射線システム（各実施例ではＸ線撮影システム１）において、基板３０は、コンピュータ４０からの電気信号（各実施例では映像信号）から変換手段（各実施例では映像信号−Ethernet（登録商標）変換部３５）で変換されたEthernet（登録商標）プロトコルの映像データと、放射線装置（各実施例ではＸ線撮影装置１０）から通信手段（本実施例２ではＸ線撮影装置通信部３１）を介したデータ（各実施例ではEthernet（登録商標）信号）と、コンピュータ４０から通信手段（各実施例ではコンピュータ通信部３２）を介したデータ（各実施例ではEthernet（登録商標）信号）とを調停する信号調停手段（本実施例２では信号調停部３８）を備えるのが好ましい。
【００４５】
「課題を解決するための手段」の欄でも述べたように、本明細書では「信号調停」とは信号の転送方向を制御することを意味する。この場合、信号調停によって、変換手段（映像信号−Ethernet（登録商標）変換部３５）で変換されたEthernet（登録商標）プロトコルの映像データも含め、通信手段（コンピュータ通信部３２）を介したコンピュータからのデータ（Ethernet（登録商標）信号）を、１つのケーブル（図５ではEthernet（登録商標）ケーブル５１）を介して放射線装置（Ｘ線撮影システム１）が受信することができるとともに、同一のEthernet（登録商標）ケーブル５１を介して放射線装置（Ｘ線撮影システム１）からデータ（Ethernet（登録商標）信号）を基板３０、さらにはコンピュータ４０に送信することができる。その結果、放射線装置（Ｘ線撮影システム１）・基板３０間の接続が１つのEthernet（登録商標）ケーブル５１のみとなり、ケーブル数の削減となる。
【００４６】
この発明は、上記実施形態に限られることはなく、下記のように変形実施することができる。
【００４７】
（１）上述した各実施例では、放射線装置としてＸ線撮影装置を例に採って説明するとともに、放射線システムとしてＸ線撮影システムを例に採って説明したが、Ｘ線以外の放射線（α線，β線，γ線など）装置に適用してもよい。
【００４８】
（２）上述した各実施例では、撮影に適用したが、撮影よりも弱い線量で放射線（各実施例ではＸ線）を照射して複数の投影データを逐次に取得して、各々の投影データをリアルタイムに表示（動画表示）する透視に適用してもよい。
【００４９】
（３）上述した各実施例では、人体または小動物などの被検体を撮影する医用のＸ線撮影装置・Ｘ線撮影システムに適用したが、基板などの被検体を透視・撮影する工業用や産業用の放射線装置・放射線システムに適用してもよい。
【００５０】
（４）上述した各実施例では、図１や図４に示す撮影態様であったが、ＣＴ(Computed Tomography) 撮影やトモシンセシス(tomosynthesis) などの断層撮影に例示されるように、透視・撮影態様については特に限定されない。
【００５１】
（５）上述した各実施例では、基板は、コンピュータの電気信号（映像信号）に画像処理を行う、またはコンピュータの電気信号（映像信号）を圧縮する信号処理手段（各実施例では画像処理部３４）を備えたが、ＤＶＩ規格以外の規格で圧縮の電気信号（映像信号）を送信することでコンピュータの電気信号（映像信号）を圧縮する処理が必要でない場合、あるいは映像に関する一般的な画像処理（例えば拡大・縮小や切り出し）を行う必要がない場合、必ずしも信号処理手段（画像処理部３４）を備える必要はない。
【００５２】
（６）上述した各実施例では、通信プロトコルとして、イーサネット（登録商標）プロトコルを例に採って説明したが、通常において用いられる通信プロトコルであれば、特に限定されない。
【符号の説明】
【００５３】
１  …  Ｘ線撮影システム
１０  …  Ｘ線撮影装置
３０  …  基板
３１，３６  …  Ｘ線撮影装置通信部
３２  …  コンピュータ通信部
３４  …  画像処理部
３５  …  映像信号−Ethernet（登録商標）変換部
３８  …  信号調停部
５１〜５３  …  Ethernet（登録商標）ケーブル
【図１】
0006519503.tif 000002
【図２】
0006519503.tif 000003
【図３】
0006519503.tif 000004
【図４】
0006519503.tif 000005
【図５】
0006519503.tif 000006
【図６】
0006519503.tif 000007